(57)【要約】【課題】適切な順序で複数チャネルの処理を行うことで、処理負荷のピークを低減できるデータ分割処理方法、データ結合処理方法および無線基地局を提供する。【解決手段】データを分割する分割工程と、分割前のデータサイズを処理単位とした処理を行う分割前処理工程と、分割後のデータサイズを処理単位とした処理を行う分割後処理工程とを含むデータ分割処理方法において、複数チャネルの分割後データを、出力順序に合わせた順序で処理する。データを結合する結合工程と、結合前のデータサイズを処理単位とした処理を行う結合前処理工程と、結合後のデータサイズを処理単位とした処理を行う結合後処理工程とを含むデータ結合処理方法において、複数チャネルの結合前データを、出力順序に合わせた順序で処理する。これらのデータ分割処理方法とデータ結合処理方法とを無線基地局において実行する。【選択図】        図１３
2004328468.tif 000002
【特許請求の範囲】
【請求項１】
複数チャネルのそれぞれにおいて、データを複数に分割するデータ分割処理方法であって、
分割前のデータに対して、分割前のデータサイズを処理単位とした処理を行う分割前処理工程と、
データを分割する分割工程と、
分割後のデータに対して、分割後のデータサイズを処理単位とした処理を行い、所定の出力順序で出力する分割後処理工程とを含み、
前記分割後処理工程において、複数チャネルの分割後データを、前記出力順序に合わせた順序で処理することを特徴とするデータ分割処理方法。
【請求項２】
前記分割後処理工程において、最初に出力される分割後データから順に処理することを特徴とする請求項１記載のデータ分割処理方法。
【請求項３】
複数チャネルのぞれぞれにおいて、複数のデータを結合するデータ結合処理方法であって、
所定の入力順序で入力した結合前のデータに対して、結合前のデータサイズを処理単位とした処理を行う結合前処理工程と、
データを結合する結合工程と、
結合後のデータに対して、結合後のデータサイズを処理単位とした処理を行う結合後処理工程とを含み、
前記結合前処理工程において、複数チャネルの結合前データを、前記入力順序に合わせた順序で処理することを特徴とするデータ結合処理方法。
【請求項４】
前記結合後処理工程において、複数チャネルの結合後データを、出力順序に合わせた順序で処理することを特徴とする請求項３記載のデータ結合処理方法。
【請求項５】
前記結合後処理工程において、最初に出力される分割後データから順に処理することを特徴とする請求項４記載のデータ結合処理方法。
【請求項６】
無線端末との間で無線通信を行うための無線通信インタフェース、および上位装置との間で有線通信を行うための有線通信インタフェースとを有し、複数チャネルのそれぞれにおいて、前記有線通信インタフェースで受信したデータを複数に分割して前記無線通信インタフェースで送信する無線基地局であって、
分割前のデータに対して、分割前のデータサイズを処理単位とした処理を行う分割前処理手段と、
データを分割する分割手段と、
分割後のデータに対して、分割後のデータサイズを処理単位とした処理を行い、所定の出力順序で出力する分割後処理手段とを備え、
前記分割後処理手段において、複数チャネルの分割後データを、前記出力順序に合わせた順序で処理することを特徴とする無線基地局。
【請求項７】
無線端末との間で無線通信を行うための無線通信インタフェース、および上位装置との間で有線通信を行うための有線通信インタフェースとを有し、複数チャネルのそれぞれにおいて、前記無線通信インタフェースで受信した複数のデータを結合して前記有線通信インタフェースで送信する無線基地局であって、
所定の入力順序で入力した結合前のデータに対して、結合前のデータサイズを処理単位とした処理を行う結合前処理手段と、
データを結合する結合手段と、
結合後のデータに対して、結合後のデータサイズを処理単位とした処理を行う結合後処理手段とを備え、
前記結合前処理手段において、複数チャネルの結合前データを、前記入力順序に合わせた順序で処理することを特徴とする無線基地局。
【請求項８】
無線端末との間で無線通信を行うための無線通信インタフェース、および上位装置との間で有線通信を行うための有線通信インタフェースとを有し、複数チャネルのそれぞれにおいて、前記有線通信インタフェースで受信したデータを複数に分割して前記無線通信インタフェースで送信し、かつ複数のチャネルのそれぞれにおいて、前記無線通信インタフェースで受信した複数データを結合して前記有線通信インタフェースで送信する無線基地局であって、
分割前のデータに対して、分割前のデータサイズを処理単位とした処理を行う分割前処理手段と、
データを分割する分割手段と、
分割後のデータに対して、分割後のデータサイズを処理単位とした処理を行い、所定の出力順序で出力する分割後処理手段と、
所定の入力順序で入力した結合前のデータに対して、結合前のデータサイズを処理単位とした処理を行う結合前処理手段と、
データを結合する結合手段と、
結合後のデータに対して、結合後のデータサイズを処理単位とした処理を行う結合後処理手段とを備え、
前記分割後処理手段において、複数チャネルの分割後データを、前記出力順序に合わせた順序で処理し、
前記結合前処理手段において、複数チャネルの結合前データを、前記入力順序に合わせた順序で処理することを特徴とする無線基地局。
【発明の詳細な説明】
【０００１】
【発明の属する技術分野】
本発明は、データを複数に分割するデータ分割処理方法、複数のデータを結合するデータ結合処理方法、およびこれらの方法を実行する無線基地局に関するものである。
【０００２】
【従来の技術】
従来の無線基地局は、例えば、非特許文献１に記載されるように、上位レイヤからのデータに対し物理チャネル分割（ｐｈｙｓｉｃａｌ  ｃｈａｎｎｅｌ  ｓｅｇｍｅｎｔａｔｉｏｎ）を行っている。
【０００３】
また、従来の無線基地局は、例えば、特許文献１に記載されるように、複数チャネルの処理を時分割で行うことによりハードウエア規模を小さくしている。
【０００４】
【非特許文献１】
３ＧＰＰ  ＴＳ  （３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ）  ２５．２１２  Ｖ５．４．０  （２００３−０３），  ４．２  Ｇｅｎｅｒａｌ  ｃｏｄｉｎｇ／ｍｕｌｔｉｐｌｅｘｉｎｇ  ｏｆ  ＴｒＣＨｓ，  Ｆｉｇｕｒｅ  ２  Ｔｒａｎｓｐｏｒｔ  ｃｈａｎｎｅｌ  ｍｕｌｔｉｐｌｅｘｉｎｇ  ｓｔｒｕｃｔｕｒｅ  ｆｏｒ  ｄｏｗｎｌｉｎｋ
【特許文献１】
特開２０００−１３８６５１号公報
【発明が解決しようとする課題】
しかしながら、前記の非特許文献１にも、特許文献１にも、複数チャネルの処理順序について記載されておらず、適切な順序で処理が行われているわけではなかった。このように、複数チャネルの処理が適切な順序で行われない場合、処理負荷のピークが高くなり、処理能力の高い処理装置が必要となってしまう。
【０００５】
本発明の目的は、適切な順序で複数チャネルの処理を行うことで、処理負荷のピークを低減することができるデータ分割処理方法、データ結合処理方法および無線基地局を提供することである。
【０００６】
【発明が解決するための手段】
本発明は、複数チャネルのそれぞれにおいて、データを複数に分割するデータ分割処理方法であって、
分割前のデータに対して、分割前のデータサイズを処理単位とした処理を行う分割前処理工程と、
データを分割する分割工程と、
分割後のデータに対して、分割後のデータサイズを処理単位とした処理を行い、所定の出力順序で出力する分割後処理工程とを含み、
前記分割後処理工程において、複数チャネルの分割後データを、前記出力順序に合わせた順序で処理することを特徴とするデータ分割処理方法である。
【０００７】
また本発明は、複数チャネルのぞれぞれにおいて、複数のデータを結合するデータ結合処理方法であって、
所定の入力順序で入力した結合前のデータに対して、結合前のデータサイズを処理単位とした処理を行う結合前処理工程と、
データを結合する結合工程と、
結合後のデータに対して、結合後のデータサイズを処理単位とした処理を行う結合後処理工程とを含み、
前記結合前処理工程において、複数チャネルの結合前データを、前記入力順序に合わせた順序で処理することを特徴とするデータ結合処理方法である。
【０００８】
また本発明は、無線端末との間で無線通信を行うための無線通信インタフェース、および上位装置との間で有線通信を行うための有線通信インタフェースとを有し、複数チャネルのそれぞれにおいて、前記有線通信インタフェースで受信したデータを複数に分割して前記無線通信インタフェースで送信する無線基地局であって、
分割前のデータに対して、分割前のデータサイズを処理単位とした処理を行う分割前処理手段と、
データを分割する分割手段と、
分割後のデータに対して、分割後のデータサイズを処理単位とした処理を行い、所定の出力順序で出力する分割後処理手段とを備え、
前記分割後処理手段において、複数チャネルの分割後データを、前記出力順序に合わせた順序で処理することを特徴とする無線基地局である。
【０００９】
また本発明は、無線端末との間で無線通信を行うための無線通信インタフェース、および上位装置との間で有線通信を行うための有線通信インタフェースとを有し、複数チャネルのそれぞれにおいて、前記無線通信インタフェースで受信した複数のデータを結合して前記有線通信インタフェースで送信する無線基地局であって、
所定の入力順序で入力した結合前のデータに対して、結合前のデータサイズを処理単位とした処理を行う結合前処理手段と、
データを結合する結合手段と、
結合後のデータに対して、結合後のデータサイズを処理単位とした処理を行う結合後処理手段とを備え、
前記結合前処理手段において、複数チャネルの結合前データを、前記入力順序に合わせた順序で処理することを特徴とする無線基地局である。
【００１０】
また本発明は、無線端末との間で無線通信を行うための無線通信インタフェース、および上位装置との間で有線通信を行うための有線通信インタフェースとを有し、複数チャネルのそれぞれにおいて、前記有線通信インタフェースで受信したデータを複数に分割して前記無線通信インタフェースで送信し、かつ複数チャネルのそれぞれにおいて、前記無線通信インタフェースで受信した複数のデータを結合して前記有線通信インタフェースで送信する無線基地局であって、
分割前のデータに対して、分割前のデータサイズを処理単位とした処理を行う分割前処理手段と、
データを分割する分割手段と、
分割後のデータに対して、分割後のデータサイズを処理単位とした処理を行い、所定の出力順序で出力する分割後処理手段と、
所定の入力順序で入力した結合前のデータに対して、結合前のデータサイズを処理単位とした処理を行う結合前処理手段と、
データを結合する結合手段と、
結合後のデータに対して、結合後のデータサイズを処理単位とした処理を行う結合後処理手段とを備え、
前記分割後処理手段において、複数チャネルの分割後データを、前記出力順序に合わせた順序で処理し、
前記結合前処理手段において、複数チャネルの結合前データを、前記入力順序に合わせた順序で処理することを特徴とする無線基地局である。
【００１１】
【発明の実施の形態】
実施の形態１．
図１は、本発明の実施の形態１に係る無線通信システムの構成図である。無線通信システムは、基地局制御装置１１、無線基地局１２および無線端末１３から構成される。基地局制御装置１１は、有線伝送路を介して複数の無線基地局１２と接続され、無線基地局１２を制御する他、公衆回線網を介して伝送されてきた信号を無線基地局１２に伝送し、逆に無線基地局１２から伝送されてきた信号を公衆回線網に伝送する。無線基地局１２は、所定エリア内に存在する複数の無線端末１３と無線伝送路を介して通信可能であり、基地局制御装置１１から伝送されてきた信号を無線端末１３に伝送し、逆に無線端末１３から伝送されてきた信号を基地局制御装置１１に伝送する。無線端末１３は、ユーザによって携帯される端末であって、移動しながら無線基地局１２との間で無線通信を行う。
【００１２】
こうしたシステム構成によって、ユーザは無線端末１３を用いて通信相手との間で通話またはデータ通信を行うことができる。
【００１３】
また、図１の無線通信システムは、Ｗ−ＣＤＭＡ（Ｗｉｄｅｂａｎｄ−  Ｃｏｄｅ  Ｄｉｖｉｓｉｏｎ  Ｍｕｌｔｉｐｌｅ  Ａｃｃｅｓｓ）方式のシステムであり、その詳細は３ＧＰＰ規格書に記載される。
【００１４】
図２は、図１の無線基地局１２で行う下りＬ２（レイヤ２）処理のフローチャートである。無線基地局１２では、基地局制御装置１１から伝送されてきた信号、すなわち下り信号に対して、Ｌ２処理およびＬ１（レイヤ１）処理を行って、無線端末１３に伝送する。Ｌ２処理は、基地局制御装置１１から伝送されてきたトランスポートチャネル（ＴｒＣＨ）の信号に対して行う各種処理のことであり、誤り訂正符号化等の処理を含む。また、物理チャネルマッピングもＬ２処理に含むものとする。Ｌ１処理は、物理チャネルの信号に対して行う各種処理のことであり、拡散等の処理を含む。このうち、図２ではＬ２処理を記載している。
【００１５】
下りＬ２処理では、ステップａ２にて物理チャネル分割を行い、その前のステップａ１にて分割前処理（詳細は図３を参照）を、その後のステップａ３にて分割後処理（詳細は図４を参照）を行う。
【００１６】
図３は、図２の分割前処理を詳細に示したフローチャートである。分割前処理は、複数のトランスポートチャネルについて、ステップｂ１〜ステップｂ４の処理を順次行い、ステップｂ５にてトランスポートチャネルを多重化するものである。ステップｂ１では、誤り検出を行うためのＣＲＣ（Ｃｙｃｌｉｃ  Ｒｅｄｕｎｄａｎｃｙ  Ｃｈｅｃｋ）ビットを付加する。ステップｂ２では、畳み込み符号化またはターボ符号化などの誤り訂正符号化を行う。ステップｂ３では、処理対象データを構成する各ビットの順序を入れ替える１次インタリーブを行う。ステップｂ４では、データを無線フレーム毎に分割する。ステップｂ５では、トランスポートチャネルを無線フレーム毎に多重化する。これらの処理は、物理チャネル分割を行う前のデータサイズを処理単位としている。
【００１７】
ここで、トランスポートチャネルは、１ユーザに対して複数設定され、１つの物理チャネルに多重化されるものである。トランスポートチャネル毎に誤り訂正符号化のパラメータを変えることによって、同じユーザに対しデータの重要度に応じた符号化を行うことができる。
【００１８】
図４は、図２の分割後処理を詳細に示したフローチャートである。分割後処理は、複数の物理チャネル毎に分割されたデータに対して、ステップｃ１にて２次インタリーブを行い、ステップｃ２にて物理チャネルマッピングを行うものである。２次インタリーブは、分割前のデータサイズを処理単位とした１次インタリーブとは異なり、分割後のデータサイズを処理単位とする。物理チャネルマッピングは、データを所定の物理チャネルに合わせてデータを並べる処理である。この分割後処理によって生成された複数の物理チャネルのデータは、後段のＬ１処理にて拡散等の処理を受けた後に、多重化されて１ユーザの無線端末１３に伝送される。拡散処理は、物理チャネル毎に異なる拡散符号を用いて行われる。
【００１９】
このように、１ユーザ用のデータを複数の物理チャネルに分割して拡散処理を行った後、多重化して無線端末１３に伝送するので、大容量のデータを送信することができる。
【００２０】
図５は、図１の無線基地局１２で行う上りＬ２処理のフローチャートである。無線基地局１２では、無線端末１３から伝送されてきた信号、すなわち上り信号に対して、Ｌ１処理およびＬ２処理を行って、基地局制御装置１１に伝送する。Ｌ１処理は、下りと同様に、物理チャネルの信号に対して行う各種処理のことであり、上りでは、逆拡散等の処理を含む。Ｌ２処理は、下りと同様に、トランスポートチャネルの信号に対して行う各種処理のことであり、上りでは、誤り訂正復号等の処理を含む。物理チャネルデマッピングもＬ２処理に含むものとする。このうち、図５ではＬ２処理を記載している。
【００２１】
上りＬ２処理では、ステップｄ２にて物理チャネル結合を行い、その前段のステップｄ１にて結合前処理（詳細は図６を参照）を、その後段のステップｄ３にて結合後処理（詳細は図７を参照）を行う。
【００２２】
図６は、図５の結合前処理を詳細に示したフローチャートである。Ｌ２処理の前段で行われるＬ１処理では、無線端末１３から伝送されてきた信号に対し、逆拡散処理等が行われる。無線端末１３から伝送されてきた信号は、複数の物理チャネルを多重化したものであり、物理チャネル毎に異なる拡散信号を用いた逆拡散処理を受けて、物理チャネル毎のデータが復元されるとともに分離される。このようなＬ１処理を受けた後のデータに対し、図６の結合前処理が行われる。
【００２３】
結合前処理は、物理チャネルにマッピングされているデータに対して、ステップｅ１にて物理チャネルデマッピングを行い、ステップｅ２にて２次デインタリーブを行うものである。物理チャネルデマッピングは、物理チャネルから所定のデータを抜き出す処理であり、下りの物理チャネルマッピングと逆の処理である。２次デインタリーブは、処理対象データを構成する各ビットの順序を入れ替える処理であり、下りの２次インタリーブと逆の処理である。この２次デインタリーブは、結合前のデータサイズを処理単位とする。
【００２４】
図７は、図５の結合後処理を詳細に示したフローチャートである。結合後処理は、ステップｆ１にて複数のトランスポートチャネルに分離する処理を行い、トランスポートチャネル毎にステップｆ２〜ステップｆ５の処理を順次行うものである。ステップｆ１では、物理チャネル結合処理を受けた後のデータを、トランスポートチャネル毎に分離する。トランスポートチャネル毎に分離されたデータは、無線フレーム毎に分割されたものとなっており、ステップｆ２にて、無線フレームを結合する。ステップｆ３では、処理対象データを構成する各ビットの順序を入れ替える１次デインタリーブを行う。この１次デインタリーブは、下りの１次インタリーブと逆の処理である。ステップｆ４では、畳み込み復号またはターボ復号などの誤り訂正復号を行う。ステップｆ５では、ＣＲＣ方式の誤り検出処理を行う。これらの処理は、物理チャネル結合を行った後のデータサイズを処理単位としている。
【００２５】
図８は、図２の下りＬ２処理を行うための無線基地局１２の構成を示す図である。無線基地局１２は、下りＬ２処理を行うための構成として、制御部２０、バッファメモリ（＃１）２１、分割前処理部２２、物理チャネル分割部２３、バッファメモリ（＃２）２４、分割後処理部２５及びバッファメモリ（＃３）２６を備えている。制御部２０は、分割前処理部２２、物理チャネル分割部２３および分割後処理部２５を制御する。バッファメモリ（＃１）２１、バッファメモリ（＃２）２４及びバッファメモリ（＃３）２６は、分割前処理部２２、物理チャネル分割部２３および分割後処理部２５の前後に発生する中間データを一時的に格納しておく記憶装置であり、複数のユーザチャネル毎に設けられる。
【００２６】
ここでいうユーザチャネルは、トランスポートチャネルとも物理チャネルとも異なるものであり、１ユーザに対応する１つの通信チャネルを意味する。したがって、図２で説明した下りＬ２処理、および図５で説明した上りＬ２処理は、このユーザチャネル１つ分の処理を示したものである。
【００２７】
次に、図８に示した無線基地局１２の動作を説明する。
【００２８】
基地局制御装置１１から伝送されてきた有線データは、無線基地局１２の有線通信インタフェースによって受信される。この有線データは、複数ユーザチャネルのデータから成り、各ユーザチャネル毎にバッファメモリ２１に一時的に格納される。バッファメモリ２１に格納されたデータは、順次取り出されて、分割前処理部２２にて時分割で処理される。分割前処理部２２で処理されたデータは、物理チャネル分割部２３にて、物理チャネル毎に分割される。物理チャネル分割の処理もまた、時分割で行われる。分割後のデータは、各ユーザチャネルの物理チャネル毎にバッファメモリ２４に一時的に格納される。バッファメモリ２４に格納されたデータは、順次取り出されて、分割後処理２５にて時分割で処理される。分割後処理部２５で処理されたデータは、各ユーザチャネル毎の各物理チャネル毎にバッファメモリ２６に一時的に格納される。バッファメモリ２６に格納されたデータは、物理チャネルにマッピングされたデータであって、所定のタイミングで出力され、Ｌ１処理を受けた後、無線基地局１２の無線通信インタフェースによって無線端末１３に向けて無線送信される。
【００２９】
図９は、図５の上りＬ２処理を行うための無線基地局１２の構成を示す図である。無線基地局１２は、上りＬ２処理を行うための構成として、制御部２０、バッファメモリ（＃１）３１、結合前処理部３２、バッファメモリ（＃２）３３、物理チャネル結合部３４、結合後処理部３５及びバッファメモリ（＃３）３６を備えている。制御部２０は、図８の制御部と同じものであり、図８の機能に加えて、結合前処理部３２、物理チャネル結合部３４および結合後処理部３５を制御する機能を有する。バッファメモリ（＃１）３１、バッファメモリ（＃２）３３及びバッファメモリ（＃３）３６は、結合前処理部３２、物理チャネル結合部３４および結合後処理部３５の前後に発生する中間データを一時的に格納しておく記憶装置であり、複数のユーザチャネル毎に設けられる。
【００３０】
次に、図９に示した無線基地局１２の動作を説明する。
【００３１】
無線端末１３から伝送されてきた無線データは、無線基地局１２の無線通信インタフェースによって受信され、Ｌ１処理を受ける。Ｌ１処理を受けた無線データは、複数ユーザチャネルのデータから成り、各ユーザチャネルの物理チャネル毎にバッファメモリ３１に一時的に格納される。バッファメモリ３１に格納されたデータは、順次取り出されて、結合前処理部３２にて時分割で処理される。結合前処理部３２で処理されたデータは、各ユーザチャネルの物理チャネル毎にバッファメモリ３３に一時的に格納される。バッファメモリ３３に格納されたデータは、順次取り出されて、物理チャネル結合部３４にて複数の物理チャネルが結合される。物理チャネル結合の処理もまた、時分割で行われる。結合後のデータは、結合後処理部３５にて、時分割で処理される。結合後処理部３５にて処理されたデータは、各ユーザチャネル毎にバッファメモリ３６に一時的に格納される。バッファメモリ３６に格納されたデータは、トランスポートチャネル毎に分割されたデータであって、所定のタイミングで出力され、無線基地局１２の有線通信インタフェースによって基地局制御装置１１に向けて伝送される。
【００３２】
このように、複数ユーザチャネルの処理を時分割で行うことによって、無線基地局１２は複数ユーザの無線端末１３と同時に通信を行うことができ、Ｌ２処理のための回路規模を小さくすることができる。
【００３３】
図１０は、第１比較例としてユーザチャネル毎の下りＬ２処理順序を示す図である。図１０では、ユーザチャネルが３個、１ユーザ当りの物理チャネル分割の数が２個の場合について、各ユーザチャネル毎にＬ２処理による各処理のタイミング、および各処理によって変化するデータを例示している。
【００３４】
まず、無線基地局１２の有線通信インタフェースで受信された有線データが、入力タイミングＴｉにおいてバッファメモリ２１に入力される。有線データの入力タイミングＴｉは、各ユーザチャネルにおいて同時か、または、ほぼ同時である。ほぼ同時の場合は、ユーザチャネル＃１、＃２、＃３の順に入力されるものとする。続いて、分割前処理および物理チャネル分割が、ユーザチャネル＃１、＃２、＃３の順に行われ、分割後のデータがバッファメモリ２４に格納される。続いて、分割後処理が、ユーザチャネル＃１の前半データ、ユーザチャネル＃１の後半データ、ユーザチャネル＃２の前半データ、ユーザチャネル＃２の後半データ、ユーザチャネル＃３の前半データ、ユーザチャネル＃３の後半データの順に行われ、処理後のデータがバッファメモリ２６に格納される。続いて、所定の物理チャネルのタイミングに従って、バッファメモリ２６からデータが読み出され、出力されてゆく。出力タイミングＴｏ１にて、ユーザチャネル＃１の前半データ、ユーザチャネル＃２の前半データ、ユーザチャネル＃３の前半データが同時に、または順次（ほぼ同時）出力され、続いて、出力タイミングＴｏ２にて、ユーザチャネル＃１の後半データ、ユーザチャネル＃２の後半データ、ユーザチャネル＃３の後半データが同時に、または順次（ほぼ同時に）出力される。
【００３５】
このように、第１比較例では、基本的にユーザチャネル＃１、＃２、＃３の順に各処理が行われる。また、第１比較例では、ユーザチャネル＃１、＃２、＃３の順に各処理が行われるように、制御部２０が分割前処理部２２、物理チャネル分割部２３および分割後処理部２５を制御する。
【００３６】
これに対し、本実施の形態では、図１１および図１２に示すような制御を行うことにより、図１３に示す順序で下りＬ２処理を行う。
【００３７】
図１１は、分割前処理および分割を行うための制御手順を示すフローチャートである。分割前処理および分割を行うための制御を開始すると、ステップｇ１にて制御部２０が有線データの到着、すなわち、バッファメモリ２１に有線データが入力されたかどうかを監視する。有線データが到着した場合、次のステップｇ２にて制御部２０が分割前処理部２２および物理チャネル分割部２３にパラメータを設定する。分割前処理部２２および物理チャネル分割部２３は、設定されたパラメータに従って処理を行う。
【００３８】
図１２は、分割後処理を行うための制御手順を示すフローチャートである。分割後処理を行うための制御を開始すると、ステップｈ１にて物理チャネル分割が完了したかどうかを制御部２０が監視する。分割が完了した場合、次のステップｈ２にて、出力順序に合わせて処理すべきデータを検索し、次のステップｈ３にて、制御部２０が分割後処理部２５にパラメータを設定する。ステップｈ２、ｈ３は、処理すべきデータがなくなるまで繰返し行う。分割後処理部２５は、設定されたパラメータに従って、検索されたデータの順に処理を行う。
【００３９】
図１３は、実施の形態１におけるユーザチャネル毎の下りＬ２処理順序を示す図である。制御部２０が図１１および図１２に従って動作した場合、下りＬ２処理の処理順序は図１３に示すとおりとなる。図１３は、図１１と比較して、分割後の処理順序のみが異なり、ユーザチャネル＃１の前半データ、ユーザチャネル＃２の前半データ、ユーザチャネル＃３の前半データ、ユーザチャネル＃１の後半データ、ユーザチャネル＃２の後半データ、ユーザチャネル＃３の後半データの順に処理される。その他は、図１１と同一であるため、説明を省略する。
【００４０】
このように、本実施の形態では、複数ユーザチャネルの分割後処理を出力順序に合わせた順序で行うため、各ユーザチャネルの後半データに対する分割後処理を出力タイミングＴｏ１以前に実行する必要がなくなり、分割後処理部２５における処理負荷のピークを低減することができる。なお、上述の効果は、１ユーザ当りの物理チャネル分割の数が３以上の場合も同様である。
【００４１】
図１４は、第２比較例としてユーザチャネル毎の上りＬ２処理順序を示す図である。図１４では、図１０と同様に、ユーザチャネルが３個、１ユーザ当りの物理チャネル分割の数が２個の場合について、各ユーザチャネル毎にＬ２処理による各処理のタイミング、および各処理によって変化するデータを例示している。
【００４２】
まず、無線基地局１２の無線通信インタフェースで受信された無線データが、Ｌ１処理を受けた後、入力タイミングＴｉ１１および入力タイミングＴｉ１２においてバッファメモリ３１に入力される。無線データの入力タイミングＴｉ１１は、各ユーザチャネルにおいて同時か、または、ほぼ同時である。ほぼ同時の場合は、ユーザチャネル＃１、＃２、＃３の順に入力される。これに続く入力タイミングＴｉ１２も、各ユーザチャネルにおいて同時か、または、ほぼ同時である。ほぼ同時の場合は、ユーザチャネル＃１、＃２、＃３の順に入力される。続いて、結合前処理が、ユーザチャネル＃１の前半データ、ユーザチャネル＃１の後半データ、ユーザチャネル＃２の前半データ、ユーザチャネル＃２の後半データ、ユーザチャネル＃３の前半データ、ユーザチャネル＃３の後半データの順に行われ、処理後のデータがバッファメモリ３３に格納される。続いて、物理チャネル結合および結合後処理が、ユーザチャネル＃１、＃２、＃３の順に行われ、処理後の有線データがバッファメモリ３６に格納される。続いて、所定の出力タイミングＴｏ１１で、バッファメモリ３６から有線データが読み出され、有線通信インタフェースに出力される。出力タイミングＴｏ１１では、ユーザチャネル＃１、＃２、＃３の有線データが同時に、または順次（ほぼ同時に）出力される。
【００４３】
このように、第２比較例では、基本的にユーザチャネル＃１、＃２、＃３の順に各処理が行われる。また、第２比較例では、ユーザチャネル＃１、＃２、＃３の順に各処理が行われるように、制御部２０が結合前処理部３２、物理チャネル結合部３４および結合後処理部３５を制御する。
【００４４】
これに対し、本実施の形態では、図１５に示す順序で上りＬ２処理を行う。制御手順のフローチャートは省略するが、図１５の処理順序を実行するような制御が行われる。
【００４５】
図１５は、本発明におけるユーザチャネル毎の上りＬ２処理順序を示す図である。図１５は、図１４と比較して、結合前の処理順序のみが異なり、ユーザチャネル＃１の前半データ、ユーザチャネル＃２の前半データ、ユーザチャネル＃３の前半データ、ユーザチャネル＃１の後半データ、ユーザチャネル＃２の後半データ、ユーザチャネル＃３の後半データの順に処理される。すなわち、結合前処理の処理順序は、入力順序に合わせたものである。その他は、図１４と同一であるため、説明を省略する。
【００４６】
このように、本実施の形態では、複数ユーザチャネルの結合前処理を入力順序に合わせた順序で行うため、各ユーザチャネルにおける後半データの入力を待たずに、各ユーザチャネルにおける前半データの結合前処理を行うことができ、結合前処理部３２における処理負荷のピークを低減することができる。なお、上述の効果は、１ユーザ当りの物理チャネル結合の数が３以上の場合も同様である。
【００４７】
実施の形態２．
図１６は、実施の形態２に係る分割後処理のための制御手順を示すフローチャートである。実施の形態２は、実施の形態１の図１２を図１６に置き換えたものである。図１６は、図１２の物理チャネル分割が完了したかどうかを監視する処理の後に、出力タイミングが最初となるデータを検索する処理を追加したものである。実施の形態１では、出力順序に合わせた順序で処理対象となるデータを検索していた。すなわち、出力順序がユーザチャネル＃１の前半データ、ユーザチャネル＃２の前半データ、ユーザチャネル＃３の前半データ、ユーザチャネル＃１の後半データ、ユーザチャネル＃２の後半データ、ユーザチャネル＃３の後半データの順であった場合、処理順序もこれに合わせた順序となる。これに対し、実施の形態２では、処理順序を実施の形態１と同じとする一方で、最初に処理するデータを最初に出力されるデータとする。以降の処理は、実施の形態１の処理順序と同じ順序で行われる。また、図１６以外の図１〜図９、図１１については、実施の形態１と同じ構成・同じ動作であるため説明を省略する。
【００４８】
図１６の手順に従って制御した場合、下りＬ２処理順序は図１７に示すとおりとなる。
【００４９】
図１７は、実施の形態２に係る各ユーザチャネル毎の下りＬ２処理順序を示す図である。物理チャネル分割の処理までは、図１３と同じ順序で処理を行い、分割後処理以降は処理を最初に行うデータが図１３と異なっている。すなわち、図１７の場合は、ユーザチャネル＃３の前半データだけが、出力タイミングＴｏ２１で出力される。続いて、ユーザチャネル＃１の前半データ、ユーザチャネル＃２の前半データ、およびユーザチャネル＃３の後半データが、出力タイミングＴｏ２２で出力される。続いて、ユーザチャネル＃１の後半データ、およびユーザチャネル＃２の後半データが、出力タイミングＴｏ２３で出力される。このように、分割後処理を、実施の形態１と同じ順序でサイクリックに行う一方で、処理を開始するデータ、すなわち、最初に処理するデータが実施の形態１とは異なっている。図１３では、ユーザチャネル＃１の前半データから処理を開始していたが、図１７のように最初の出力タイミングがユーザチャネル＃３の前半データとなる場合は、このデータから処理を開始し、以降ユーザチャネル＃１、＃２、＃３、＃１、＃２…とサイクリックに処理を行う。
【００５０】
このように、複数チャネルにおける分割後処理の順序を、出力順序に合わせるだけでなく、最初に処理を行うデータを、最初に出力されるデータとすることによって、分割後処理部２５における処理負荷のピークをより一層低減することができる。
【００５１】
図１８は、実施の形態２に係る各ユーザチャネル毎の上りＬ２処理順序を示す図である。上りＬ２処理のうち結合前処理までの処理は、図１５と同一であるため、図１８では省略している。結合前処理を受けたデータは、…、ユーザチャネル＃１、＃２、＃３、＃１、＃２、…の順に、物理チャネル結合および結合後処理を受けて、バッファメモリ３３に格納される。ただし、ここでは、最初に出力されるデータがユーザチャネル＃３のデータであることから、最初に処理を行うデータをユーザチャネル＃３のデータとしている。ユーザチャネル＃３の処理に続いて、ユーザチャネル＃１、＃２のデータを順次処理し、処理後にできた有線データをバッファメモリ３６に格納する。格納された有線データのうち、ユーザチャネル＃３の有線データが出力タイミングＴｏ３１で出力され、続いて、ユーザチャネル＃１、＃２の有線データが出力タイミングＴｏ３２で出力される。
【００５２】
このように、上りＬ２処理の物理チャネル結合および結合後処理において、出力順序に合わせた順序で処理を行うことによって、物理チャネル結合部３４および結合後処理部３５における処理負荷のピークを低減することができる。
【００５３】
また、上りＬ２処理の物理チャネル結合および結合後処理において、出力順序に合わせた順序で処理を行うのみならず、最初に出力されるユーザチャネルのデータを最初に処理することによって、物理チャネル結合部３４および結合後処理部３５における処理負荷のピークをより一層低減することができる。
【００５４】
実施の形態３．
図１９は、実施の形態３に係る分割後処理のための制御手順を示すフローチャートである。実施の形態３は、出力タイミング（時刻）の指定が有るユーザチャネルと、出力タイミングの指定が無いユーザチャネルとを混在させた通信システムに関するものであって、実施の形態２のうち図１６を図１９に変更したものである。図１９は、図１６で示した制御手順のうち、ステップｉ２、ｉ３をステップｊ２、ｊ３に変更したものである。ステップｊ１にて分割の完了を確認した後、ステップｊ２にて出力時刻指定の有るデータのうち、最初に出力されるデータを検索し、ステップｊ３にて出力時刻指定の無いデータのうち出力順序に合わせてデータを検索し、ステップｊ４にて分割後処理部２５に必要なパラメータを設定する。以下、ステップｊ３、ｊ４を繰返して出力順序に合わせた順序で分割後処理を行う。
【００５５】
図１９の手順に従って制御した場合、下りＬ２処理順序は図２０に示すとおりとなる。
【００５６】
図２０は、実施の形態３に係る各ユーザチャネル毎の下りＬ２処理順序を示す図である。図２０の下りＬ２処理順序は、分割前処理および物理チャネル分割までは、図１７と同一であるが、分割後処理の順序が図１７と異なる。ユーザチャネル＃１〜＃３のうち、ユーザチャネル＃２にのみ出力時刻指定が有り、ユーザチャネル＃１、＃３には出力時刻指定が無い。このため、図１９の制御手順に従うと、ユーザチャネル＃２が優先して処理され、処理順序は、ユーザチャネル＃２の前半データ、ユーザチャネル＃１の前半データ、ユーザチャネル＃３の前半データ、ユーザチャネル＃２の後半データ、ユーザチャネル＃１の後半データ、ユーザチャネル＃３の後半データの順となる。このような順序で分割後処理が行われた後、バッファメモリ２６に格納されたデータが、分割後処理と同じ順序で出力される。ユーザチャネル＃１〜＃３の各前半データは、出力タイミングＴｏ４１にて、同時、または、ほぼ同時（順次）に出力される。ユーザチャネル＃１〜＃３の各後半データは、出力タイミングＴｏ４２にて、同時、または、ほぼ同時（順次）に出力される。図２０では、このような出力順序を例示しているが、出力時刻指定の無いユーザチャネル＃１、＃３のデータは、出力タイミングＴｏ４１、Ｔｏ４２から遅れたタイミングで出力されても構わない。
【００５７】
このように、下りＬ２処理において、出力時刻指定の有るユーザチャネルのデータを優先的に処理することによって、ユーザ毎に異なるサービスを提供することができる。
【００５８】
図２１は、実施の形態３に係る各ユーザチャネル毎の上りＬ２処理順序を示す図である。図２１の上りＬ２処理順序は、結合前処理までは、図１８と同一であるが、物理チャネル結合および結合後処理の順序が図１８と異なる。上りのユーザチャネル＃１〜＃３でも、ユーザチャネル＃２にのみ出力時刻指定が有り、ユーザチャネル＃１、＃３には出力時刻指定が無い。このため、ユーザチャネル＃２が優先して処理され、処理順序は、ユーザチャネル＃２、＃１、＃３の順となる。このような順序で物理チャネル結合および結合後処理が行われた後、バッファメモリ３６に格納されたデータが、物理チャネル結合および結合後処理と同じ順序で出力される。ユーザチャネル＃１〜＃３の各有線データは、出力タイミングＴｏ５１にて、同時、または、ほぼ同時（順次）に出力される。図２０では、このような出力順序を例示しているが、出力時刻指定の無いユーザチャネル＃１、＃３のデータは、出力タイミングＴｏ５１から遅れたタイミングで出力されても構わない。
【００５９】
このように、上りＬ２処理においても、出力時刻指定の有るユーザチャネルのデータを優先的に処理することによって、ユーザ毎に異なるサービスを提供することができる。
【００６０】
【発明の効果】
以上のように本発明によれば、適切な順序で複数チャネルの処理を行うので、処理負荷のピークを低減することができる。これによって、処理能力がそれほど高くない処理装置を使うことができ、低コストで無線基地局を提供できる。また、より多くのユーザを収容可能な無線基地局を提供することができる。
【図面の簡単な説明】
【図１】本発明の実施の形態１に係る無線通信システムの構成図である。
【図２】下りＬ２処理のフローチャートである。
【図３】図２の分割前処理を詳細に示したフローチャートである。
【図４】図２の分割後処理を詳細に示したフローチャートである。
【図５】上りＬ２処理のフローチャートである。
【図６】図５の結合前処理を詳細に示したフローチャートである。
【図７】図５の結合後処理を詳細に示したフローチャートである。
【図８】下りＬ２処理のための無線基地局１２の構成を示す図である。
【図９】上りＬ２処理のための無線基地局１２の構成を示す図である。
【図１０】第１比較例として下りＬ２処理順序を示す図である。
【図１１】分割前処理・分割を行うための制御手順を示す図である。
【図１２】分割後処理を行うための制御手順を示す図である。
【図１３】実施の形態１に係るＬ２処理順序を示す図である。
【図１４】第２比較例として上りＬ２処理順序を示す図である。
【図１５】実施の形態１に係る上りＬ２処理順序を示す図である。
【図１６】実施の形態２に係る分割後処理の制御手順を示す図である。
【図１７】実施の形態２に係る下りＬ２処理順序を示す図である。
【図１８】実施の形態２に係る上りＬ２処理順序を示す図である。
【図１９】実施の形態３に係る分割後処理の制御手順を示す図である。
【図２０】実施の形態３に係る下りＬ２処理順序を示す図である。
【図２１】実施の形態３に係る上りＬ２処理順序を示す図である。
【符号の説明】
１１  基地局制御装置
１２  無線基地局
１３  無線端末
２０  制御部
２１，２４，２６，３１，３３，３６  バッファメモリ
２２  分割前処理部
２３  物理チャネル分割部
２５  分割後処理部
３２  結合前処理部
３４  物理チャネル結合部
３５  結合後処理部
Ｔｉ，Ｔｉ１１，Ｔｉ１２，Ｔｉ２１，Ｔｉ３１，Ｔｉ３２，Ｔｉ４１，Ｔｉ５１，Ｔｉ５２  入力タイミング
Ｔｏ１，Ｔｏ２，Ｔｏ１１，Ｔｏ２１，Ｔｏ２２，Ｔｏ２３，Ｔｏ３１，Ｔｏ３２，Ｔｏ４１，Ｔｏ４２，Ｔｏ５１  出力タイミング
【図１】
2004328468.tif 000003
【図２】
2004328468.tif 000004
【図３】
2004328468.tif 000005
【図４】
2004328468.tif 000006
【図５】
2004328468.tif 000007
【図６】
2004328468.tif 000008
【図７】
2004328468.tif 000009
【図８】
2004328468.tif 000010
【図９】
2004328468.tif 000011
【図１０】
2004328468.tif 000012
【図１１】
2004328468.tif 000013
【図１２】
2004328468.tif 000014
【図１３】
2004328468.tif 000015
【図１４】
2004328468.tif 000016
【図１５】
2004328468.tif 000017
【図１６】
2004328468.tif 000018
【図１７】
2004328468.tif 000019
【図１８】
2004328468.tif 000020
【図１９】
2004328468.tif 000021
【図２０】
2004328468.tif 000022
【図２１】
2004328468.tif 000023